(57)【要約】【課題】入浴者の有無に応じて風呂熱回収を適切なタイミングで開始する上で有利になる貯湯式給湯装置を提供する。【解決手段】貯湯式給湯装置１００は、浴槽内の浴水を自動で保温する自動保温モードと、浴槽内の浴水の熱を貯湯タンク１内に回収する風呂熱回収モードとを運転モードとして備える。貯湯式給湯装置１００は、浴槽内の水位の変動である浴槽水位変動を検出する水位変動検出手段と、自動保温モード及び風呂熱回収モードを制御する制御部２４とを備える。制御部２４は、自動保温モードの終了後に風呂熱回収モードを開始する前に、所定時間の監視期間内に浴槽水位変動があったかどうかを確認し、浴槽水位変動があった場合には風呂熱回収モードの開始を延期する延期処理を実行可能である。【選択図】図１
2020139717.tif 000002
【特許請求の範囲】
【請求項１】
浴槽内の浴水を自動で保温する自動保温モードと、前記浴槽内の浴水の熱を貯湯タンク内に回収する風呂熱回収モードとを運転モードとして備える貯湯式給湯装置において、
前記浴槽内の水位の変動である浴槽水位変動を検出する水位変動検出手段と、
前記自動保温モード及び前記風呂熱回収モードを制御する制御手段と、
を備え、
前記制御手段は、前記自動保温モードの終了後の前記風呂熱回収モードを開始する前に、所定時間の監視期間内に前記浴槽水位変動があったかどうかを確認し、前記浴槽水位変動があった場合には前記風呂熱回収モードの開始を延期する延期処理を実行可能である貯湯式給湯装置。
【請求項２】
前記監視期間の長さを使用者が変更可能とする変更手段を備える請求項１に記載の貯湯式給湯装置。
【請求項３】
前記風呂熱回収モードが開始されることなく前記自動保温モードの終了時から経過した時間である遅延時間が閾値を超えた場合には、前記制御手段は、当該風呂熱回収モードの実行を取り止める請求項１または請求項２に記載の貯湯式給湯装置。
【請求項４】
前記延期処理を実行するか否かを使用者が事前に設定可能とする設定手段を備える請求項１から請求項３のいずれか一項に記載の貯湯式給湯装置。
【請求項５】
前記延期処理によって前記風呂熱回収モードの開始が延期される場合にその旨を報知する報知手段を備える請求項１から請求項４のいずれか一項に記載の貯湯式給湯装置。
【請求項６】
前記制御手段は、前記自動保温モードが使用者により途中で解除された場合には、前記浴槽水位変動の有無にかかわらず前記風呂熱回収モードを開始する請求項１から請求項５のいずれか一項に記載の貯湯式給湯装置。
【請求項７】
前記自動保温モードが使用者により途中で解除された場合に前記風呂熱回収モードを実行するか否かを使用者が事前に選択可能とする選択手段を備える請求項１から請求項５のいずれか一項に記載の貯湯式給湯装置。
【請求項８】
前記制御手段は、前記監視期間内における前記水位の変化量が基準に比べて大きい場合には前記浴槽水位変動があったものとして前記延期処理を実行し、前記変化量が前記基準に比べて小さい場合には前記風呂熱回収モードを延期せずに開始する請求項１から請求項７のいずれか一項に記載の貯湯式給湯装置。
【請求項９】
前記制御手段は、前記自動保温モードの継続時間が基準時間よりも短い場合には、前記風呂熱回収モードを禁止する請求項１から請求項８のいずれか一項に記載の貯湯式給湯装置。
【請求項１０】
前記制御手段は、前記浴槽への湯張りが完了してから前記浴槽水位変動が一度も検出されていない場合には、前記風呂熱回収モードを禁止する請求項１から請求項９のいずれか一項に記載の貯湯式給湯装置。
【発明の詳細な説明】
【技術分野】
【０００１】
本発明は、貯湯式給湯装置に関する。
【背景技術】
【０００２】
貯湯式給湯装置において、浴槽の湯張りをする湯張り機能と、湯張り後に一定時間浴槽内の湯の温度を自動で保持する自動保温機能と、入浴後の浴槽の残り湯の熱を貯湯タンク内に回収する風呂熱回収機能とを有するものが知られている。
【０００３】
特許文献１に開示された貯湯式給湯装置では、使用者が設定した風呂保温時間が終了した後、制御装置が風呂熱回収運転を実行する。
【先行技術文献】
【特許文献】
【０００４】
【特許文献１】特開２０１０−１１７０５４号公報
【発明の概要】
【発明が解決しようとする課題】
【０００５】
特許文献１に開示された貯湯式給湯装置では、風呂保温時間が終了すると、まだ入浴している人がいても風呂熱回収運転が実行されてしまい、浴槽内の湯が冷却されてしまう。風呂熱回収運転を中止させるには、使用者がスイッチを操作する必要があり、手間がかかるという課題がある。
【０００６】
本発明は、上述のような課題を解決するためになされたもので、入浴者の有無に応じて風呂熱回収を適切なタイミングで開始する上で有利になる貯湯式給湯装置を提供することを目的とする。
【課題を解決するための手段】
【０００７】
本発明に係る貯湯式給湯装置は、浴槽内の浴水を自動で保温する自動保温モードと、浴槽内の浴水の熱を貯湯タンク内に回収する風呂熱回収モードとを運転モードとして備える貯湯式給湯装置において、浴槽内の水位の変動である浴槽水位変動を検出する水位変動検出手段と、自動保温モード及び風呂熱回収モードを制御する制御手段と、を備え、制御手段は、自動保温モードの終了後に風呂熱回収モードを開始する前に、所定時間の監視期間内に浴槽水位変動があったかどうかを確認し、浴槽水位変動があった場合には風呂熱回収モードの開始を延期する延期処理を実行可能であるものである。
【発明の効果】
【０００８】
本発明によれば、入浴者の有無に応じて風呂熱回収を適切なタイミングで開始する上で有利になる貯湯式給湯装置を提供することが可能となる。
【図面の簡単な説明】
【０００９】
【図１】実施の形態１による貯湯式給湯装置を示す図である。
【図２】実施の形態１におけるリモコンを示す正面図である。
【図３】実施の形態１による制御処理を示すフローチャートである。
【発明を実施するための形態】
【００１０】
以下、図面を参照して実施の形態について説明する。各図において共通または対応する要素には、同一の符号を付して、重複する説明を簡略化または省略する。
【００１１】
実施の形態１．
図１は、実施の形態１による貯湯式給湯装置１００を示す図である。図１に示すように、本実施の形態の貯湯式給湯装置１００は、水を加熱する加熱手段としてのヒートポンプユニット２と、貯湯タンク１を有する貯湯ユニット４０とを備える。ヒートポンプユニット２と、貯湯ユニット４０との間は、ＨＰ往き配管４８と、ＨＰ戻り配管４９と、電気配線（図示省略）とを介して接続されている。ヒートポンプユニット２内には、圧縮機、給湯用熱交換器、膨張弁、空気熱交換器を冷媒配管により環状に接続したヒートポンプ回路が備えられている。
【００１２】
貯湯タンク１は、湯水を貯留する。貯湯タンク１の内部では、温度による水の密度の差によって、上側が高温で下側が低温になる温度成層を形成することができる。以下の説明では、貯湯タンク１に貯留された湯水あるいは貯湯タンク１から取り出された湯水を「タンク水」と呼ぶことがある。貯湯タンク１の外面には、上部から下部に向かって、第１の温度センサ５ａ、第２の温度センサ５ｂ、第３の温度センサ５ｃ、第４の温度センサ５ｄ、第５の温度センサ５ｅ、及び第６の温度センサ５ｆが、この順に取り付け位置が低くなるように配置されている。これらの温度センサ５ａ〜５ｆによって貯湯タンク１内の貯湯温度の鉛直方向についての分布を検出することにより、貯湯タンク１内の貯湯量及び蓄熱量を把握することができる。ＨＰ往き配管４８には、ヒートポンプユニット２への入水温度を検出する第７の温度センサ５ｇが設けられている。
【００１３】
貯湯ユニット４０内には、循環ポンプ４、一般給湯側電動混合弁７、高温配管８、給水管９、風呂給湯側電動混合弁１１、風呂用電磁弁１３、風呂循環ポンプ１４、入水切替弁１７、給湯用流量センサ１９、給湯用温度センサ２０、風呂用流量センサ２１、風呂用温度センサ２２、給水温度センサ２３、出湯切替弁２６、中温戻し切替弁２７、中温取出切替弁２８、中温配管３０などがさらに備えられている。
【００１４】
給水管９の上流は、例えば水道管のような水源に接続されている。給水管９の下流側は、給水管９ａ及び給水管９ｂに分岐している。給水管９ａは、貯湯タンク１の下部に接続されている。水源から供給される低温水が給水管９ａから貯湯タンク１の下部に流入することで、貯湯タンク１内は満水状態に維持される。
【００１５】
中温取出切替弁２８は、中温入口２８ａ、低温入口２８ｂ、及び水出口２８ｃを有する。低温入口２８ｂに給水管９ｂが接続されている。中温入口２８ａに中温配管３０の一端が接続されている。高温配管８の上流部は、貯湯タンク１の上部にある第一位置１ａにて貯湯タンク１内に連通する。中温配管３０の他端は、第一位置１ａよりも低位にある第二位置１ｂにて貯湯タンク１内に連通する。第二位置１ｂは、給水管９ａが接続された貯湯タンク１の下部よりも上位にある。すなわち、第二位置１ｂは、貯湯タンク１の上部と下部との間の中間部にある。
【００１６】
貯湯タンク１から中温配管３０を通って供給される中温水が中温入口２８ａに流入する。当該中温水よりも温度の低い低温水が低温入口２８ｂに流入する。本実施の形態では、水源から給水管９ｂを通って供給される低温水が低温入口２８ｂに流入する。中温取出切替弁２８は、「中温位置」と「低温位置」とに流路を切り替え可能である。「中温位置」では、中温入口２８ａが水出口２８ｃへ連通し、低温入口２８ｂが遮断される。「中温位置」のときには、中温配管３０からの中温水が水出口２８ｃへ流れる。「低温位置」では、低温入口２８ｂが水出口２８ｃへ連通し、中温入口２８ａが遮断される。「低温位置」のときには、給水管９ｂからの低温水が水出口２８ｃへ流れる。
【００１７】
一般給湯側電動混合弁７は、湯側入口７ａ、水側入口７ｂ、及び湯出口７ｃを備える。風呂給湯側電動混合弁１１は、湯側入口１１ａ、水側入口１１ｂ、及び湯出口１１ｃを備える。高温配管８の下流部は、湯側入口７ａ及び湯側入口１１ａのそれぞれに連通している。中温取出切替弁２８の水出口２８ｃは、水側入口７ｂ及び水側入口１１ｂのそれぞれに連通している。
【００１８】
第一給湯管１０の一端は、湯出口７ｃに接続されている。一般給湯側電動混合弁７は、貯湯タンク１から高温配管８を通って供給される高温水と、中温取出切替弁２８の水出口２８ｃからの中温水または低温水とを混合する。一般給湯側電動混合弁７が高温水と中温水または低温水との混合比を調整することにより、給湯温度を調整できる。一般給湯側電動混合弁７にて温度調節された湯は、第一給湯管１０に流入する。第一給湯管１０を通る湯は、例えば蛇口、シャワーのような給湯先へ供給される。
【００１９】
第二給湯管１８の一端は、湯出口１１ｃに接続されている。風呂給湯側電動混合弁１１は、貯湯タンク１から高温配管８を通って供給される高温水と、中温取出切替弁２８の水出口２８ｃからの中温水または低温水とを混合し、温度調節する。その温度調節された湯は、第二給湯管１８に流入する。
【００２０】
給水管９には、給水温度センサ２３が設けられている。給水温度センサ２３は、給水管９を流れる水の温度である給水温度を検出する。第一給湯管１０には、給湯用流量センサ１９及び給湯用温度センサ２０が設けられている。給湯用流量センサ１９は、第一給湯管１０を流れる湯水の流量を検出する。給湯用温度センサ２０は、第一給湯管１０を流れる湯水の温度を検出する。第二給湯管１８には、風呂用電磁弁１３及び風呂用流量センサ２１が設けられている。風呂用電磁弁１３は、第二給湯管１８を開閉する開閉弁に相当する。風呂用流量センサ２１は、第二給湯管１８を流れる湯水の流量を検出する。
【００２１】
第二給湯管１８は、風呂側循環回路１２に接続されている。貯湯ユニット４０内には熱交換器１５が配置されている。風呂側循環回路１２は、貯湯式給湯装置１００の外部の浴室にある浴槽（図示省略）から浴水を引き込み、熱交換器１５を経由した浴水を浴槽内に戻すことのできる経路である。風呂側循環回路１２の途中に接続された風呂循環ポンプ１４を運転すると、浴槽から浴水が風呂側循環回路１２を通過して浴槽に戻るように循環する。熱交換器１５は、浴水と、熱媒体との間で熱を交換する。熱媒体は、例えば、貯湯タンク１から供給されるタンク水である。風呂用温度センサ２２は、風呂側循環回路１２を流れる湯水の温度を検出する。
【００２２】
風呂側循環回路１２には、水位センサ３４及び循環フロースイッチ３５が備えられている。水位センサ３４は、浴槽内の水位（以下、「浴槽水位」と称する）を検出する。例えば、水位センサ３４は、風呂側循環回路１２内の水圧を測定することにより浴槽内の水面の高さを検出する。循環フロースイッチ３５は、風呂側循環回路１２の循環水流の有無を検出する。例えば、風呂循環ポンプ１４が運転されたときに浴水の循環流量が所定流量以上になると循環フロースイッチ３５がオンになることで、循環水流が有ることを検出できる。
【００２３】
入水切替弁１７は、入口となるａポート及びｂポートと、出口となるｃポートとを有する流路切替手段である。入水切替弁１７は、ａ−ｃ、ｂ−ｃの２つの経路の間で流路切替可能に構成されている。
【００２４】
出湯切替弁２６は、入口となるａポート及びｂポートと、出口となるｃポート及びｄポートとを有する流路切替手段である。出湯切替弁２６は、ａ−ｃ、ａ−ｄ、ｂ−ｃ、ｂ−ｄの４つの経路の間で流路切替可能に構成されている。
【００２５】
中温戻し切替弁２７は、入口となるａポートと、出口となるｂポート、ｃポート、及びｄポートとを有する流路切替手段である。中温戻し切替弁２７は、ａ−ｂ、ａ−ｃ、ａ−ｄの３つの経路の間で流路切替可能に構成されている。
【００２６】
貯湯ユニット４０は、バイパス配管３２、配管４１、配管４２、配管４３、配管４５、配管４６、及び配管４７をさらに備えている。バイパス配管３２は、出湯切替弁２６のｃポートと、貯湯タンク１の下部との間を接続する。配管４１は、貯湯タンク１の下部と、入水切替弁１７のａポートとの間を接続する。配管４２は、入水切替弁１７のｃポートと、循環ポンプ４の入口との間を接続する。ＨＰ往き配管４８は、循環ポンプ４の出口と、ヒートポンプユニット２の入口との間を接続する。ＨＰ戻り配管４９は、ヒートポンプユニット２の出口と、出湯切替弁２６のｂポートとの間を接続する。配管４３は、出湯切替弁２６のｄポートと、中温戻し切替弁２７のａポートとの間を接続する。配管４５は、中温戻し切替弁２７のｂポートと、貯湯タンク１の上部の温水導入出口１ｃとの間を接続する。配管４６は、中温戻し切替弁２７のｄポートと、高温配管８の途中の位置との間を接続する。配管４７は、中温戻し切替弁２７のｃポートと、貯湯タンク１の中間部に設けられた温水導入口１ｄとの間を接続する。
【００２７】
温水導入出口１ｃの近くに出湯温度センサ６が設けられている。出湯温度センサ６は、ヒートポンプユニット２から流出する湯の温度である出湯温度を検出する出湯温度検出手段に相当する。
【００２８】
第一タンク循環配管１６は、配管４５の途中の位置と、熱交換器１５の熱媒体の入口との間を接続する。第二タンク循環配管５０は、熱交換器１５の熱媒体の出口と、入水切替弁１７のｂポートとの間を接続する。配管５１は、ＨＰ往き配管４８における循環ポンプ４とヒートポンプユニット２の入口との間から分岐し、出湯切替弁２６のａポートに接続される。風呂熱回収配管３１は、第二タンク循環配管５０の途中の位置から分岐して、中温配管３０の途中の位置に接続されている。
【００２９】
貯湯式給湯装置１００は、制御手段としての制御部２４を備える。制御部２４は、上述した各アクチュエータ及び各センサと電気的に接続されている。貯湯式給湯装置１００が実施する各種の運転モードは、制御部２４により制御される。制御部２４は、例えば、少なくとも１つのプロセッサと少なくとも１つのメモリとを有する処理回路を備えたものでもよい。制御部２４は、日時を管理するタイマー機能を有している。
【００３０】
貯湯式給湯装置１００は、リモコン２５を備えている。制御部２４とリモコン２５との間は、有線通信または無線通信により、双方向に通信可能である。制御部２４とリモコン２５とがネットワークを介して通信可能でもよい。リモコン２５は、ユーザーインターフェースの例である。複数のリモコン２５が制御部２４に対して通信可能でもよい。
【００３１】
図２は、実施の形態１におけるリモコン２５を示す正面図である。図２に示すように、リモコン２５は、情報を表示する表示部２５ａと、使用者が情報あるいは指令を入力する際に操作する操作部２５ｂと、情報を音声で出力する音声出力部２５ｃとを有している。リモコン２５は、例えば台所、リビング、浴室などの壁に設置されていてもよい。また、例えばスマートフォンのような携帯情報端末を、リモコン２５のようなユーザーインターフェースとして使用可能となるように構成してもよい。
【００３２】
使用者は、リモコン２５を操作することで、一般給湯側電動混合弁７による給湯設定温度と、風呂給湯側電動混合弁１１による給湯設定温度とをそれぞれ変更できる。以下の説明では、風呂給湯側電動混合弁１１による給湯設定温度を「風呂設定温度」と呼ぶ。また、使用者は、リモコン２５を操作することで、浴槽に溜める湯量である湯張り湯量を設定できる。
【００３３】
貯湯式給湯装置１００は、ヒートポンプユニット２で加熱された湯を貯湯タンク１の上部に流入させる沸上運転を実行できる。沸上運転では、制御部２４により以下のように制御される。ヒートポンプユニット２及び循環ポンプ４が運転される。貯湯タンク１の下部から取り出された水が、配管４１、入水切替弁１７、配管４２、循環ポンプ４、及びＨＰ往き配管４８を通ってヒートポンプユニット２内に導かれる。ヒートポンプユニット２内で加熱された湯は、ＨＰ戻り配管４９、出湯切替弁２６、配管４３、中温戻し切替弁２７、及び配管４５を通って、温水導入出口１ｃから貯湯タンク１に流入する。沸上運転は、典型的には、深夜電力時間帯を中心に実施され、翌日に使用される分の湯を貯湯タンク１に貯える。
【００３４】
浴槽に湯を溜める湯張りのときには、制御部２４により以下のように制御される。風呂用電磁弁１３を開き、風呂用温度センサ２２で検出される給湯温度が、目標値である風呂設定温度に等しくなるように、風呂給湯側電動混合弁１１での混合比が調整される。風呂給湯側電動混合弁１１で温度調節された湯は、第二給湯管１８及び風呂側循環回路１２を通って、浴槽に注入される。風呂用流量センサ２１で検出された流量を積算することにより、浴槽への注入湯量が計算される。その注入湯量が、目標値である湯張り湯量に達すると、風呂用電磁弁１３を閉じて、湯張りが終了する。
【００３５】
浴槽内の浴水を加熱する追焚運転のときには、制御部２４により以下のように制御される。風呂循環ポンプ１４が運転され、浴槽からの浴水が熱交換器１５を経由して浴槽内に戻るように風呂側循環回路１２を循環する。循環ポンプ４が運転され、貯湯タンク１の上部の温水導入出口１ｃから取り出された高温のタンク水が第一タンク循環配管１６を通って熱交換器１５に流入する。熱交換器１５にて浴水が高温のタンク水により加熱される。浴水に熱を奪われて温度低下したタンク水は、第二タンク循環配管５０、入水切替弁１７、配管４２、循環ポンプ４、配管５１、出湯切替弁２６、配管４３、中温戻し切替弁２７、配管４７、及び温水導入口１ｄを通って、貯湯タンク１の中間部に流入する。
【００３６】
貯湯式給湯装置１００は、浴槽内の浴水を自動で保温する自動保温モードを運転モードとして備えている。自動保温モードでは、制御部２４は、湯張りの完了後、浴槽内の浴水の温度（以下、「浴槽温度」と称する）を維持するように、追焚運転あるいは足し湯などを自動で行う。使用者は、リモコン２５の操作部２５ｂを操作することにより、自動保温モードを継続する自動保温時間を設定したり、自動保温モードの「入」／「切」を選択したりすることができる。
【００３７】
自動保温モードでは、制御部２４は、例えば以下のように制御する。一定時間毎に風呂循環ポンプ１４を動作させ、浴槽内の浴水を風呂側循環回路１２に引き込み、風呂用温度センサ２２により浴槽温度を検出し、浴槽温度が風呂設定温度よりも許容範囲を超えて低い場合には、追焚運転を実施する。また、自動保温モードにおいて、制御部２４は、水位センサ３４の検出結果に基づいて、浴槽内の浴水の量を保つように、足し湯を自動で実施してもよい。制御部２４は、湯張り完了時からの経過時間が、使用者により設定された自動保温時間に達すると、自動保温モードを終了する。また、当該経過時間が自動保温時間に達する前に使用者がリモコン２５にて自動保温「切」の操作をした場合のように、自動保温モードが使用者により途中で解除された場合には、制御部２４は、その時点で自動保温モードを終了する。
【００３８】
貯湯式給湯装置１００は、風呂熱回収モードを運転モードとして備えている。風呂熱回収モードは、入浴後の浴槽内の浴水すなわち残り湯の熱を貯湯タンク１内に回収するための運転モードである。風呂熱回収モードにおいて、制御部２４は、浴槽内の浴水の熱を貯湯タンク１内に移送するための熱回収運転を実行する。熱回収運転のときには、制御部２４により以下のように制御される。風呂循環ポンプ１４が運転され、浴槽からの浴水が熱交換器１５を経由して浴槽内に戻るように風呂側循環回路１２を循環する。循環ポンプ４が運転され、貯湯タンク１の下部から取り出された低温のタンク水が、配管４１、入水切替弁１７、配管４２、循環ポンプ４、配管５１、出湯切替弁２６、配管４３、中温戻し切替弁２７、配管４５、及び第一タンク循環配管１６を通って熱交換器１５に流入する。熱交換器１５にて低温のタンク水が浴水により加熱される。浴水の熱を受けて温度上昇したタンク水は、熱交換器１５から風呂熱回収配管３１、中温配管３０、及び第二位置１ｂを通って、貯湯タンク１の中間部に流入する。
【００３９】
風呂熱回収モードにおいて、制御部２４は、熱回収運転以外の運転をさらに実行してもよい。例えば、制御部２４は、浴槽内の浴水を攪拌するための攪拌運転を実行してもよい。攪拌運転は、循環ポンプ４を動作させることなく風呂循環ポンプ１４を動作させる運転である。風呂熱回収モードのときに、制御部２４は、熱回収運転と攪拌運転とを交互に実行してもよい。
【００４０】
貯湯式給湯装置１００は、浴槽水位の変動（以下、「浴槽水位変動」と称する）を検出する水位変動検出手段を備える。本実施の形態では、水位センサ３４及び制御部２４が水位変動検出手段に相当する。制御部２４は、水位センサ３４で検出される浴槽水位の経時的な変化に基づいて、浴槽水位変動を検出する。浴槽に入浴者の身体が浸かると、浴槽水位が上昇する。このため、制御部２４は、浴槽水位変動を検出することにより、入浴者がいるかどうかを判定することができる。
【００４１】
制御部２４は、自動保温モードの終了後に風呂熱回収モードを自動で開始することができる。これにより、使用者は風呂熱回収モードを開始させるための操作をする必要がないので、利便性に優れる。
【００４２】
自動保温モードの終了時に、まだ入浴者がいる場合がある。そのような場合に、風呂熱回収モードが自動で開始されると、熱交換器１５で冷却された浴水が浴槽に流入し、浴槽温度が低下してしまうので、好ましくない。この点に鑑みて、本実施の形態における制御部２４は、自動保温モードの終了後の風呂熱回収モードを開始する前に、所定時間の監視期間内に浴槽水位変動があったかどうかを確認し、浴槽水位変動があった場合には風呂熱回収モードの開始を延期する延期処理を実行可能である。これにより、以下の利点がある。自動保温モードの終了時に入浴者がいる場合には、監視期間内に浴槽水位変動が検出されるので、延期処理が実行され、風呂熱回収モードの開始が自動で延期される。その結果、まだ入浴者がいるときに風呂熱回収モードが開始されてしまうことを防止できる。また、入浴者がリモコン２５を操作して風呂熱回収モードの開始を延期させる必要がないので、入浴者の手を煩わせることなく、上記効果が得られる。
【００４３】
監視期間は、入浴者が途絶えたこと、すなわち全員の入浴が終了したことを判定するための期間に相当する。監視期間は、例えば、現在時刻よりも所定時間前の時刻から現在時刻までの期間でもよい。上記所定時間、すなわち監視期間の長さは、例えば１０分間でもよい。監視期間は、自動保温モード終了前の期間を含んでいてもよい。監視期間において浴槽水位変動がなかった場合には、入浴者が途絶えており、全員の入浴が終了したと判断できる。この場合には、制御部２４は、風呂熱回収モードを開始する。
【００４４】
制御部２４は、監視期間内における浴槽水位の変化量（例えば監視期間内における最高水位と最低水位との差）が基準値に比べて大きい場合には浴槽水位変動があったものとして延期処理を実行し、上記変化量が基準値に比べて小さい場合には風呂熱回収モードを延期せずに開始するようにしてもよい。上記の基準値は、入浴者の身体が浴槽に浸かったかどうかを判定可能な値とされる。入浴者の身体が浴槽に浸かった場合には、上記変化量が基準値に比べて大きくなる結果、制御部２４は、浴槽水位変動があると判定する。これに対し、例えば人の脚だけが浴槽に浸かった場合には、上記変化量が基準値に比べて小さくなる結果、制御部２４は、浴槽水位変動がないと判定する。以上のようにすることで、次の利点がある。全員の入浴が終了した後に、浴室掃除をする使用者が、立った姿勢で浴槽に脚を踏み入れる場合がある。この場合には、風呂熱回収モードを開始しても問題ないので、風呂熱回収モードを延期せずに開始することで、浴槽の湯が冷める前に風呂熱回収モードを実行できる。なお、上記の基準値は、例えば、自動保温モード実行中の最大の水位変動量の１／４程度に相当する値としてもよい。
【００４５】
貯湯式給湯装置１００は、監視期間の長さを使用者が変更可能とする変更手段を備えていてもよい。例えば、使用者がリモコン２５を操作することによって監視期間の長さを変更できるように構成してもよい。これにより、使用者の利用形態に応じて、監視期間の長さをより適切に調整できる。
【００４６】
風呂熱回収モードが開始されることなく自動保温モードの終了時から経過した時間を以下「遅延時間」と称する。自動保温モードの終了後も入浴者が途絶えなかった場合には、延期処理が繰り返し実行されることで、遅延時間が長くなる。遅延時間が長くなるほど、浴槽の湯が冷めていくので、貯湯タンク１内に回収可能な熱量が少なくなり、風呂熱回収モードを実行するメリットが小さくなる。そこで、制御部２４は、遅延時間が閾値を超えた場合には、風呂熱回収モードの実行を取り止めるようにしてもよい。この閾値は、浴槽の湯が冷める時間であり、例えば２時間でもよい。上記のようにすることで、風呂熱回収モードを実行するメリットがないときに風呂熱回収モードが実行されてしまうことを確実に防止できる。
【００４７】
貯湯式給湯装置１００は、延期処理を実行するか否かを使用者が事前に設定可能とする設定手段を備えていてもよい。例えば、使用者がリモコン２５を操作することによって、延期処理を実行するか否かを事前に設定できるように構成してもよい。これにより、延期処理を必要としていない使用者の場合に、その意向に沿うことができる。
【００４８】
貯湯式給湯装置１００は、延期処理によって風呂熱回収モードの開始が延期される場合にその旨を報知する報知手段を備えていてもよい。例えば、延期処理によって風呂熱回収モードの開始が延期される場合に、制御部２４は、リモコン２５の表示部２５ａ及び音声出力部２５ｃの少なくとも一方を用いて、風呂熱回収モードの開始を遅延させる旨のガイダンスを使用者に報知してもよい。これにより、利便性をさらに向上できる。
【００４９】
制御部２４は、自動保温モードが使用者により途中で解除された場合には、浴槽水位変動の有無にかかわらず風呂熱回収モードを開始してもよい。自動保温モードが使用者により途中で解除された場合には、全員の入浴が終了したと判断できるからである。
【００５０】
貯湯式給湯装置１００は、自動保温モードが使用者により途中で解除された場合に風呂熱回収モードを実行するか否かを使用者が事前に選択可能とする選択手段を備えていてもよい。例えば、自動保温モードが使用者により途中で解除された場合に風呂熱回収モードを実行するか否かを、リモコン２５の操作によって使用者が事前に選択できるように構成してもよい。これにより、使用者の意思を尊重することができ、利便性をさらに向上できる。
【００５１】
図３は、実施の形態１による制御処理を示すフローチャートである。図３では、湯張り終了後の自動保温モードの実行中から風呂熱回収モードの開始までの処理を記載する。図３のステップＳ１として、自動保温モードの実行中、制御部２４は、水位センサ３４により浴槽水位を定期的に検出する水位検出処理を行う。水位検出処理では、例えば、３秒間の水位センサ３４の検出値を平均した平均値を浴槽水位とし、浴槽水位と時刻とを関連付けてメモリに記憶する処理を１０秒毎に繰り返し行う。
【００５２】
ステップＳ１からステップＳ２に移行すると、制御部２４は、手動でのリモコン２５の操作による自動保温「切」操作の有無を確認する。手動での自動保温「切」操作がない場合は、制御部２４は、自動保温モードを継続してステップＳ３に移行する。一方、手動での自動保温「切」操作があった場合、すなわち自動保温モードが使用者により途中で解除された場合には、制御部２４は、自動保温モードを終了してステップＳ１０に移行する。
【００５３】
ステップＳ３で、制御部２４は、自動保温モードの開始後の経過時間と、使用者により設定された自動保温時間とを比較し、経過時間が自動保温時間を超えていれば自動保温モードを終了し、ステップＳ４に移行する。一方、経過時間が自動保温時間を超えていなければ、ステップＳ１に戻る。
【００５４】
ステップＳ４では、予め設定された時間で自動保温モードが終了したため、制御部２４は、風呂熱回収の遅延設定を確認する。風呂熱回収の遅延設定は、使用者がリモコン２５で任意に設定できる。遅延設定が「入」状態であれば、入浴者の有無によって風呂熱回収モードの開始を遅らせる可能性があるため、ステップＳ５に移行する。一方で、遅延設定が「入」状態でなければ、入浴者の有無に関わらず自動保温モードが終了した時点で風呂熱回収モードを開始させるためにステップＳ９に移行する。
【００５５】
ステップＳ５では、入浴者を検知して風呂熱回収モードの開始を遅らせている場合においても手動でのリモコン２５の操作による風呂熱回収モードの開始を可能とするため、制御部２４は、風呂熱回収モードの「入」操作の有無を確認する。風呂熱回収モードの「入」操作がない場合は、ステップＳ６に移行する。一方、手動で風呂熱回収モードの「入」操作があった場合は、使用者の意思を尊重し、風呂熱回収モードを開始するためにステップＳ９に移行する。
【００５６】
ステップＳ６で、制御部２４は、風呂熱回収モードの遅延時間が、前述した閾値（例えば２時間）を超えているかどうかを確認し、超えていなければ浴槽の湯は冷めていないと判断してステップＳ７に移行する。これに対し、遅延時間が閾値を超えていれば浴槽の湯は冷めていると判断できるので、制御部２４は、風呂熱回収モードを開始する必要がないと判断して、ＥＮＤに至る。
【００５７】
ステップＳ７で、制御部２４は、ステップＳ１と同様の水位検出処理を行い、ステップＳ８に移行する。ステップＳ８で、制御部２４は、水位検出処理によってメモリに記憶された１０秒毎の浴槽水位の情報に基づいて、前述した監視期間内における浴槽水位変動の有無を確認する。例えば、制御部２４は、監視期間内における浴槽水位の変化量と、前述した基準値とを比較することで、浴槽水位変動の有無を判定する。監視期間内に浴槽水位変動がなければ、これ以降に入浴する者はいないと判断できるので、制御部２４は、ステップＳ９に移行し、風呂熱回収モードを開始する。ステップＳ９の後、ＥＮＤに至る。これに対し、監視期間内に浴槽水位変動があった場合には入浴がまだ続いていると判断できるので、制御部２４は、風呂熱回収モードの開始を遅延させるために、ステップＳ４に戻る。
【００５８】
ステップＳ１０では、制御部２４は、熱回収自動開始設定の状態を確認する。熱回収自動開始設定は、リモコン２５で使用者が任意に設定でき、手動で自動保温モードを解除した時に自動で風呂熱回収モードを開始したい場合に設定する。熱回収自動開始設定が「入」状態であれば、制御部２４は、手動での自動保温設定「切」操作後は入浴者がいないと判断して、風呂熱回収モードを開始するためにステップＳ１０からステップＳ９に移行する。これに対し、熱回収自動開始設定が「入」状態でなければ、制御部２４は、自動保温モードが使用者により途中で解除された後は風呂熱回収モードを実行することなく、ステップＳ１０からＥＮＤに至る。
【００５９】
なお、制御部２４は、自動保温モードの継続時間が基準時間よりも短い場合には、風呂熱回収モードを禁止してもよい。この基準時間は、例えば５分間であり、入浴がまだ完了していないと判断できるような時間である。このようにすることで、例えば自動保温時間の設定が極めて短い場合に、湯張り完了後の短時間のうちに風呂熱回収モードが開始されてしまうことを防止できる。
【００６０】
また、制御部２４は、浴槽への湯張りが完了してから浴槽水位変動が一度も検出されていない場合には、風呂熱回収モードを禁止してもよい。浴槽への湯張りが完了してから浴槽水位変動が一度も検出されていない場合には、まだ誰も入浴していないと判断できるので、風呂熱回収モードを実行すべきでないと考えられるからである。
【符号の説明】
【００６１】
１  貯湯タンク、  １ａ  第一位置、  １ｂ  第二位置、  １ｃ  温水導入出口、  １ｄ  温水導入口、  ２  ヒートポンプユニット、  ４  循環ポンプ、  ５ａ  第１の温度センサ、  ５ｂ  第２の温度センサ、  ５ｃ  第３の温度センサ、  ５ｄ  第４の温度センサ、  ５ｅ  第５の温度センサ、  ５ｆ  第６の温度センサ、  ５ｇ  第７の温度センサ、  ６  出湯温度センサ、  ７  一般給湯側電動混合弁、  ７ａ  湯側入口、  ７ｂ  水側入口、  ７ｃ  湯出口、  ８  高温配管、  ９  給水管、  ９ａ  給水管、  ９ｂ  給水管、  １０  第一給湯管、  １１  風呂給湯側電動混合弁、  １１ａ  湯側入口、  １１ｂ  水側入口、  １１ｃ  湯出口、  １２  風呂側循環回路、  １３  風呂用電磁弁、  １４  風呂循環ポンプ、  １５  熱交換器、  １６  第一タンク循環配管、  １７  入水切替弁、  １８  第二給湯管、  １９  給湯用流量センサ、  ２０  給湯用温度センサ、  ２１  風呂用流量センサ、  ２２  風呂用温度センサ、  ２３  給水温度センサ、  ２４  制御部、  ２５  リモコン、  ２５ａ  表示部、２５ｂ  操作部、  ２５ｃ  音声出力部、  ２６  出湯切替弁、  ２７  中温戻し切替弁、  ２８  中温取出切替弁、  ２８ａ  中温入口、  ２８ｂ  低温入口、  ２８ｃ  水出口、  ３０  中温配管、  ３１  風呂熱回収配管、  ３２  バイパス配管、  ３４  水位センサ、  ３５  循環フロースイッチ、  ４０  貯湯ユニット、  ４１  配管、  ４２  配管、  ４３  配管、  ４５  配管、  ４６  配管、  ４７  配管、  ４８  ＨＰ往き配管、  ４９  ＨＰ戻り配管、  ５０  第二タンク循環配管、  ５１  配管、  １００  貯湯式給湯装置
【図１】
2020139717.tif 000003
【図２】
2020139717.tif 000004
【図３】
2020139717.tif 000005